(57)【要約】【課題】横たわった人体の脊椎曲線を支持して、使用者の快適な睡眠効果を得ること。【解決手段】下部ベース、高度センサー、上部ベッドマットレス及び制御装置を備え、下部ベースの頂端の表面に設けられた各溝が下部ベース内部のアクティブ装置と互いに対応し、高度センサーがアクティブ装置の下方に設けられ、前記下部ベース内に制御装置と空気充填装置とが設けられ、前記空気充填装置と高度センサーは前記制御装置と相互に接続され、下部ベースの頂面には上部ベッドマットレスが置かれ、前記上部ベッドマットレスの頂面に近い個所にエアクッション層が敷設され、前記エアクッションの頂面から下部に向かって複数の押圧ロッドが延在されていて、前記押圧ロッドは上部ベッドマットレスの底部に露出され、且つ下部ベースの溝の内部に進入し、アクティブ装置と互いに対応し、制御装置が使用者が上部ベッドマットレスに横たわった際に予め記憶した脊椎曲線を基づいて空気充填装置を介してエアクッション層に対して空気充填又は排気を行う。【選択図】図２
0003161843.tif 000002
【実用新案登録請求の範囲】
【請求項１】
人体の脊椎曲線を支持することが可能な健康ベッドであって、
中空体であり、内部に複数のアクティブ装置が設けられ、頂面にそれぞれが前記アクティブ装置に対応する複数の溝が設けられ、前記アクティブ装置のそれぞれの下方に高度センサーが設けられた下部ベースと、
内部にクッションを備え、前記クッションの頂面に最上層と前記最上層の下方に接続された複数の支持エアバッグとを含むエアクッション層が敷設され、前記最上層に押圧ロッドが接続され、底面に前記押圧ロッドが露出され、前記下部ベースの頂面に配置され、内部の前記押圧ロッドが前記下部ベースの前記溝に進入して前記アクティブ装置のそれぞれと互いに貼着又は貼着するほど接近するようにしている上部ベッドマットレスと、
前記下部ベース内部に固定され、複数のエアチューブを介して前記エアクッション層の前記支持エアバッグのそれぞれと互いに接続され、前記エアチューブを介して前記支持エアバッグに対して空気の充填と排気を行える空気充填装置と、
前記エアチューブのそれぞれに設けられることで、前記支持エアバッグのそれぞれに対する空気の充填及び排気を制御する制御スイッチと、
前記下部ベース内部に固定され、前記高度センサー、複数の前記制御スイッチ及び前記空気充填装置と接続されることで、前記高度センサーからの検知信号を受信して、検知された信号に基づいて一部の又は全ての前記制御スイッチにオンさせ、それによって前記空気充填装置が複数の前記支持エアバッグのそれぞれに対する空気の充填又は排気を行い、前記上部ベッドマットレスの頂面に前記支持エアバッグによって空気の充填を行うことで使用者が横たわった際の脊椎曲線が形成して自発的に前記使用者の脊椎が支持されるように制御する制御装置と、
を含むことを特徴とする自発的に人体の脊椎曲線を支持することが可能な健康ベッド。
【請求項２】
前記下部ベースは、頂端の表面に、複数の前記エアチューブが前記下部ベースに進入し前記空気充填装置と互いに接続されるようにするための孔が設けられていることを特徴とする請求項１記載の自発的に人体の脊椎曲線を支持することが可能な健康ベッド。
【請求項３】
前記アクティブ装置は、互いに対応し且つ所定の距離が保たれた二つの位置決め柱体を含み、前記二つの位置決め柱体は前記下部ベースの内側底面に固定され、二つの前記位置決め柱体にはそれぞれ弾性体が嵌設され、前記弾性体はそれぞれアクティブロッドの両端を支持し、前記アクティブロッドが前記弾性体の支持を介して上下に移動することを特徴とする請求項１記載の自発的に人体の脊椎曲線を支持することが可能な健康ベッド。
【請求項４】
前記上部ベッドマットレスは、底面に複数のホールが設けられ、前記クッションには複数の貫通孔が設けられ、前記貫通孔は前記上部ベッドマットレスの底面の複数の前記ホールと互いに対応し、前記貫通孔と前記ホールに前記押圧ロッドが貫通して露出し、前記エアチューブが前記上部ベッドマットレスに進入して複数の前記支持エアバッグと互いに接続していることを特徴とする請求項１記載の自発的に人体の脊椎曲線を支持することが可能な健康ベッド。
【請求項５】
前記上部ベッドマットレス内部の前記クッションは、発泡材料であることを特徴とする請求項１記載の自発的に人体の脊椎曲線を支持することが可能な健康ベッド。
【請求項６】
前記上部ベッドマットレス内部の前記クッションは、ポケットスプリングであることを特徴とする請求項１記載の自発的に人体の脊椎曲線を支持することが可能な健康ベッド。
【請求項７】
前記上部ベッドマットレス内部の前記クッションは、緩衝弾性材であることを特徴とする請求項１記載の自発的に人体の脊椎曲線を支持することが可能な健康ベッド。
【請求項８】
前記制御装置には予め前記使用者の脊椎曲線が記憶保存されていることを特徴とする請求項１記載の自発的に人体の脊椎曲線を支持することが可能な健康ベッド。
【考案の詳細な説明】
【技術分野】
【０００１】
本考案は、自発的に人体の脊椎曲線を支持することが可能な健康ベッドに関し、特に、予め人体が横たわった際の脊椎曲線を記憶し、使用者が再び当該健康ベッドに横たわった際に、当該ベッドがエアクッションを介して自発的に人体の脊椎曲線の間隙部分を支持することができ、それによって最も快適な睡眠効果を達成することができる、自発的に人体の脊椎曲線を支持することが可能な健康ベッドに関する。
【背景技術】
【０００２】
ハイテク産業の飛躍的な進歩に伴い、現代のサラリーマンは常に過剰なストレスを感じ、長期的な不眠の苦しみに晒されることで、睡眠の質に影響が生じ、その結果、焦り、鬱、肩や首の痛み、腰や背中の痛み、頭痛、倦怠感、動悸、抜け毛などの文明病に悩まされている。従って、快適な睡眠の質を享受できるように、一般業者は通常、「ベッドのマットレス」に対して改良を加えており、形状記憶ベッド、健康ベッド、エネルギーベッドを標榜するものなど、ベッドのマットレスには様々な種類が存在する。しかしながら、実際には、スプリングは力を受けて下に押され、実質的な支持機能を果たしていないため、使用者の長期的な不眠の苦しみを解決するには至っていない。
【０００３】
そのため、上記の欠点を解決すべく、本考案の出願人は、すでにPCT/CN2007/002585（以下、特許文献１とする）、PCT/CN2007/002602（以下、特許文献２とする）、及びPCT/CN2007/002956（以下、特許文献３とする）のPCT出願を行っている。以下、各特許文献の特徴について説明する。
【先行技術文献】
【特許文献】
【０００４】
【特許文献１】PCT/CN2007/002585
【特許文献２】PCT/CN2007/002602
【特許文献３】PCT/CN2007/002956
【０００５】
特許文献１は、人体の脊椎曲線を調節可能な健康ベッドに関し、主に複数の昇降装置を備えるものである。当該昇降装置は、それぞれがモーターによって駆動され上昇と下降を行うことで、ポケットスプリングを上昇下降させ、ベッド表面に人体の脊椎曲線を形成し、それによって自発的に支持する目的を達成している。しかし、モーター駆動の方法では、大量のモーターを使用しなければならず、コストが相対的に高くなり、爾後のベッドの単価が過度に高価となり、普及され得ない問題があった。
【０００６】
特許文献２は、人体の脊椎曲線を調節可能な健康ベッド（二）に関し、主に複数の昇降装置を備えるものである。当該昇降装置は、主にエアバッグ又はウォーターバッグによってポケットスプリングを上昇、下降させることで、ベッド表面に人体の脊椎曲線を形成し、それによって自発的に支持する目的を達成している。しかし、特許文献２では大量のエアバッグとウォーターバッグを使用しなければならず、且つ構造も複雑となり、製造コストが相対的に高くなり、ベッドの単価にも影響を及ぼし、普及され得ない問題があった。
【０００７】
特許文献３は、人体の脊椎曲線に基づいて調節することが可能な健康ベッド（三）に関し、主に複数の昇降装置を備えるものである。当該昇降装置は、ベースを備え、当該ベースの先端に溝を設け、当該溝の両側にそれぞれ弾性体を配置し、当該弾性体はそれぞれアクティブロッドの両端に貼着するほど接近しており、それによってアクティブロッドが弾性体の弾力の緩衝機能を介して、上下に稼動できる。更に、溝の側壁面に高度センサーが設けられることで、アクティブロッドの下降距離を検知する。又、ベースに少なくとも一つ以上のエアクッションが配置され、当該エアクッションの頂端にセンサーロッドが延在され、当該センサーロッドの底端がアクティブロッドと貼り合わされるほど接近している。又、エアクッションと空気充填器が接続され、当該空気充填器と前記高度センサーが制御装置と接続され、これにより、高度センサーがアクティブロッドが最も低い位置に下降した距離を検知して検知結果を制御装置に送信し、制御装置が横たわっている者が使用者であるか否かを判断し、そうである場合は、制御装置が受信した信号に基づいて空気充填器を駆動してエアクッションに対して空気を充填する。以上の構成により、自発的に人体の脊椎を支持するための理想的な曲線を形成して、使用者が快適な睡眠を取ることができるようにしている。しかし、特許文献３ではあらゆる部材がベッド内部に覆われているため、ベッドの体積が過度に大きくそして重くなり、運ぶのが困難となるという問題があった。
【０００８】
このように、上記した従来の技術にはなお多くの欠点が存在し、良好な設計とはなっておらず、更なる改良が強く望まれている。
【考案の概要】
【考案が解決しようとする課題】
【０００９】
本考案は、予め使用者が横たわった際の脊椎曲線を記憶し、使用者が当該健康ベッドに横たわった際に、当該ベッドがエアクッション層の空気充填効果によって自発的に使用者の脊椎曲線を形成することができ、それによって自発的に使用者の脊椎曲線を支持することで、使用者が快適な睡眠効果を達成することのできる、自発的に人体の脊椎曲線を支持することが可能な健康ベッドを提供することを課題とする。
本考案はまた、上部ベッドマットレスの頂端に近い表面にエアクッション層を設け、当該エアクッション層に複数の支持エアバッグが設けられ、支持エアバッグの自動空気充填又は排気を介して、自発的に人体が横たわった際の脊椎曲線を支持する効果を達成することのできる、自発的に人体の脊椎曲線を支持することが可能な健康ベッドを提供することを課題とする。
【課題を解決するための手段】
【００１０】
上記の課題を解決するために、本考案に係る自発的に人体の脊椎曲線を支持することが可能な健康ベッドは、主に、上部ベッドマットレスと下部ベースとを備える。前記上部ベッドマットレス内にはクッションが設けられ、前記クッションの頂面にはエアクッションが敷設され、前記エアクッションは複数の支持エアバッグを備え、前記支持エアバッグには空気充填／排気用チューブが接続され、前記エアクッションの頂面から下部に向かって複数の押圧ロッドが延在され、前記空気充填／排気用チューブと押圧ロッドはいずれも上部ベッドマットレスの底部に露出されている。前記下部ベースは中空体であり、頂端の表面には複数の溝が設けられ、各溝はいずれも下部ベースのアクティブ装置と互いに対応しており、アクティブ装置下方には高度センサーが設けられ、且つ前記下部ベース内には更に制御装置と空気充填装置が設けられ、前記空気充填装置と高度センサーはいずれも前記制御装置と相互に接続されている。上部ベッドマットレスが下部ベースの頂面に置かれた際には、前記押圧ロッドが下部ベースの溝の内部に進入し、アクティブ装置と互いに対応し、前記空気充填／排気用チューブと下部ベース内の空気充填装置が互いに接続されている。
【考案の効果】
【００１１】
本考案では、予め制御装置によって使用者が上部ベッドマットレスに横たわった際の脊椎曲線が記憶され、使用者が上部ベッドマットレスに横たわった際に、押圧ロッドの下降が駆動され、押圧ロッドがアクティブ装置を下に向かって押動し、高度センサーによってアクティブ装置が最も低い位置に下降した距離が検知されて検知結果が制御装置に送信され、制御装置によって横たわっている者の脊椎曲線が予め記憶された使用者のものであるか否かが判断され、そうである場合は、制御装置が空気充填装置を駆動して複数の支持エアバッグに対して空気を充填し、上部ベッドマットレスの表面に使用者の脊椎曲線を形成し、支持エアバッグを介して、自発的に人体の脊椎における理想的な曲線を支持し、これによって、使用者の快適な睡眠をはかるといった目的を達成することができる。
【図面の簡単な説明】
【００１２】
【図１】本考案に係る自発的に人体の脊椎曲線を支持することが可能な健康ベッドの結合を示す図である。
【図２】本考案に係る自発的に人体の脊椎曲線を支持することが可能な健康ベッドの立体図である。
【図３】本考案に係る自発的に人体の脊椎曲線を支持することが可能な健康ベッドの結合を示す図である。
【図４】本考案に係る自発的に人体の脊椎曲線を支持することが可能な健康ベッドの断面図である。
【図５】本考案に係る自発的に人体の脊椎曲線を支持することが可能な健康ベッドの他の断面図である。
【図６】本考案に係る自発的に人体の脊椎曲線を支持することが可能な健康ベッドの空気充填装置と支持エアバッグとの接続を示す図である。
【図７Ａ】本考案に係る自発的に人体の脊椎曲線を支持することが可能な健康ベッドの使用状態を示す図である。
【図７Ｂ】本考案に係る自発的に人体の脊椎曲線を支持することが可能な健康ベッドの使用状態を示す図である。
【図８Ａ】本考案に係る自発的に人体の脊椎曲線を支持することが可能な健康ベッドの使用状態を示す図である。
【図８Ｂ】本考案に係る自発的に人体の脊椎曲線を支持することが可能な健康ベッドの使用状態を示す図である。
【考案を実施するための形態】
【００１３】
以下に図面を参照しながら本考案の実施例について説明する。
【実施例】
【００１４】
図１乃至６に示すように、本考案に係る自発的に人体の脊椎曲線を支持することが可能な健康ベッドは、主に下部ベース１、高度センサー３、上部ベッドマットレス６、空気充填装置４、複数の制御スイッチ９、制御装置５を含む。
以下、各部材について説明する。
【００１５】
下部ベース１は、中空体であり、頂面の表面に複数の溝１１と、孔１２が設けられている。各溝１１と下部ベース１内部のアクティブ装置２とは互いに対応し、アクティブ装置２には互いに対応し且つ所定の距離が保たれた二つの位置決め柱体２１が含まれ、当該二つの位置決め柱体２１は下部ベース１の内側底面に固定され、二つの位置決め柱体２１にはそれぞれ弾性体２２が嵌設され、当該弾性体２２はそれぞれアクティブロッド２３の両端を支持し、アクティブロッド２３が弾性体２２の支持を介して上下に移動する。
【００１６】
高度センサー３は、下部ベース１の内部に複数設けられ、アクティブロッド２３の直下に位置している。アクティブロッド２３が下方を押した際には、高度センサー３に接触し、それによって高度センサー３がアクティブ装置２のアクティブロッド２３が最も低い場所に下降した位置を検知することができる。
【００１７】
上部ベッドマットレス６は、底面に複数のホール６４が設けられ、内部にクッション６１を覆っている。当該クッション６１には複数の貫通孔６１１が設けられ、当該貫通孔６１１は上部ベッドマットレス６の底面の複数のホールと互いに対応している。又、クッション６１の頂面にはエアクッション層６２が敷設され、当該エアクッション層６２は、最上層６２１及び複数の支持エアバッグ６２２からなり、当該複数の支持エアバッグ６２２は最上層６２１の下方に等間隔にて配列されている。各支持エアバッグ６２２には空気充填／排気孔が設けられ（図示せず）、且つ最上層６２１には下方に複数の押圧ロッド６３が接続され当該押圧ロッド６３は、クッション６１の貫通孔６１１及び上部ベッドマットレス６の底面のホール６４を貫通し、上部ベッドマットレス６の底面のホール６４に露出される。又、押圧ロッド６３はいずれも支持エアバッグ６２２の一側に設けられ、支持エアバッグ６２２の各一側のいずれにも押圧ロッド６３が複数設けられるようにする。又、本実施例では、上部ベッドマットレス６は下部ベース１の頂面に置かれ、上部ベッドマットレス６内部の押圧ロッド６３が下部ベース１の溝１１の内部に進入できるようにし、且つ押圧ロッド６３の端部は各アクティブ装置２のアクティブロッド２３と互いに貼着又は貼着するほど接近している。又、前記クッション６１は、発泡材料、ポケットスプリング、又は緩衝弾性材のいずれであってもよい。
【００１８】
空気充填装置４は、下部ベース１内部に固定され、複数のエアチューブ７を介して各支持エアバッグ６２２の空気充填／排気孔と互いに接続されている。前記エアチューブ７は、上部ベッドマットレス６のクッション６１の貫通孔６１１及び下部ベース１の孔１２を介して支持エアバッグ６２２及び空気充填装置４に接続されている。
【００１９】
制御スイッチ９は、図６に示すように、複数のエアチューブ７にそれぞれ設けられることで、空気を支持エアバッグ６２２内部に進入させるか否か或いは支持エアバッグ６２２外部に排気するか否かを制御する。
【００２０】
制御装置５は、下部ベース１内部に固定され、高度センサー３、複数の制御スイッチ９及び空気充填装置４と接続されることで、高度センサー３からの検知信号を受信して、検知された信号に基づいて複数の制御スイッチにオン／オフさせ、それによって空気充填装置４が各複数の支持エアバッグ６２２に対する空気の充填又は排気を行えるようにする。
【００２１】
図７Ａ、７８Ｂ及び図８Ａ、８Ｂは、本考案の使用状態を示す図である。使用者８が初めて上部ベッドマットレス６のベッド表面に横たわった際、、上部ベッドマットレス６内部の複数の支持エアバッグ６２２が、使用者８の頚椎、胸椎、腰椎、薦椎、臀部及び大腿部に対応する。この時、支持エアバッグ６２２は空気を完全に充填されておらず、上部ベッドマットレス６の押圧ロッド６３が下方を押圧する程度は異なっているため、最も強い力を受ける押圧ロッド６３によってアクティブ装置２のアクティブロッド２３が駆動され、当該アクティブロッド２３が高度センサー３に接触すると、高度センサー３によって各アクティブロッド２３が最も低い位置に下降した距離が検知され、使用者８が横たわった際の頚椎、胸椎、腰椎及び薦椎の脊椎曲線が取得され、その検知結果が制御装置５に送信して保存することで、制御装置５によって使用者８の頚椎、胸椎、腰椎及び薦椎と相互に対応する支持エアバッグ６２２の空気充填量が確認される。
【００２２】
又、制御装置５には予め使用者８の各種寝相の脊椎曲線を保存しておくことができ、使用者８が寝相を変えた際でも、その脊椎曲線を依然として支持できるようになっている。
【００２３】
使用者８が脊椎曲線が記憶されている上部ベッドマットレス６に再度横たわった際には、制御装置５はアクティブロッド２３が最も低い位置に下降した距離距離に応じて、横たわっている人体が元の使用者８であるかどうかを判断し、そうである場合は、制御装置５は制御スイッチ９をオンにして、空気の充填が必要な支持エアバッグ６２２に空気充填装置４を介して空気の充填が行われるようにする。空気が設定量まで充填されると、制御装置５は制御スイッチ９をオフにして、各制御スイッチ９のオン／オフの時間がいずれも異なるようにすることで、上部ベッドマットレス６のベッド表面が支持エアバッグ６２２によって隆起するようにし、使用者８が横たわっている際の頚椎、胸椎、腰椎及び薦椎の脊椎曲線が形成され、支持エアバッグ６２２を介して使用者８の頚椎、胸椎、腰椎及び薦椎とベッド表面との間隙が埋められ、自発的に人体の脊椎曲線を支持する目的が達成され、使用者８が横たわっている際に、身体を最もリラックスした状態にさせることで、快適な睡眠を取るための最も優れた効果を達成することができる。
【００２４】
使用者８が上部ベッドマットレス６から離れた際は、押圧ロッド６３は上昇し、アクティブロッド２３は弾性体２２の弾力を受けて元に戻り、高度センサー３はアクティブロッド２３が元に戻ったことを検知した後、検知信号を制御装置５に送信し、制御装置５によって空気充填装置４が駆動されて、すでに空気が充填された支持エアバッグ６２２に対して排気が行われ、それによって、上部ベッドマットレス６の表面が平坦な状態に戻る。
【産業上の利用可能性】
【００２５】
本考案に係る自発的に人体の脊椎曲線を支持することが可能な健康ベッドは、他の従来の技術と比較した際に、更に以下の利点を有する。
【００２６】
１．本考案では、予め使用者が横たわっている際の脊椎曲線を記憶することによって、使用者がベッドに横たわった際に、ベッドがエアクッション層の空気充填効果を介して、自発的に使用者の脊椎曲線を形成することが可能となり、自発的に使用者の脊椎曲線を支持できるとともに、使用者が快適な睡眠を取れるようにする目的を達成している。
【００２７】
２．本考案では、上部ベッドマットレスの頂端表面に近接した場所にエアクッション層が設けられ、このエアクッション層が支持エアバッグを複数備えることにより、支持エアバッグの自動空気充填又は排気を介して、自発的に人体が横たわっている際の脊椎曲線を支持できる効果を達成している。
【００２８】
上記の詳細な説明は、本考案の実施形態の具体例を例示するものにすぎず、本考案の実用新案登録請求の範囲を限定するものではない。本考案の技芸の主旨を逸脱しない範囲において行われた等価の実施又は変更は、全て本考案の実用新案登録請求の範囲に含まれるものとする。
【符号の説明】
【００２９】
１・・・・・・下部ベース
１１・・・・・溝
１２・・・・・孔
２・・・・・・アクティブ装置
２１・・・・・位置決め柱体
２２・・・・・弾性体
２３・・・・・アクティブロッド
３・・・・・・高度センサー
４・・・・・・空気充填装置
５・・・・・・制御装置
６・・・・・・上部ベッドマットレス
６１・・・・・クッション
６１１・・・・貫通孔
６２・・・・・エアクッション層
６２１・・・・最上層
６２２・・・・支持エアバッグ
６３・・・・・押圧ロッド
６４・・・・・ホール
７・・・・・・エアチューブ
８・・・・・・使用者
９・・・・・・制御スイッチ
【図１】
0003161843.tif 000003
【図２】
0003161843.tif 000004
【図３】
0003161843.tif 000005
【図４】
0003161843.tif 000006
【図５】
0003161843.tif 000007
【図６】
0003161843.tif 000008
【図７Ａ】
0003161843.tif 000009
【図７Ｂ】
0003161843.tif 000010
【図８Ａ】
0003161843.tif 000011
【図８Ｂ】
0003161843.tif 000012